(57)【要約】      （修正有）【課題】冷陰極管に代えて用いることができる新たな線状光源装置を提供する。【解決手段】樹脂により断面略一様な柱状に成形されるとともに所定長さを有する本体部１３０、および、この本体部１３０の両端に形成された第１の端部１２１と第２の端部１２２を備えた導光部材１２０と、上記第１の端部１２１と上記第２の端部１２２の少なくともいずれか一方に対向して配置されたＬＥＤ発光素子２００とを備え、導光部材１２０は長手方向にわたり、複数の凹部１３１または凸部１３２が形成され、上記凹部１３１または凸部１３２は、上記帯状領域の幅方向に延び、かつ帯状領域の幅方向について直線状を呈していることにより、上記ＬＥＤ発光素子２００から上記本体部１３０の端部に入射した光が、上記本体部１３０の長手方向にわたって、上記本体部１３０の周面における上記凹部１３１または凸部１３２が形成された範囲と対向する領域から出射させる。【選択図】図１
2008209633.tif 000002
【特許請求の範囲】
【請求項１】
樹脂により断面略一様な柱状に成形されるとともに所定長さを有する本体部、および、この本体部の両端に形成された第１の端部と第２の端部、を備えた導光部材と、上記第１の端部と上記第２の端部の少なくともいずれか一方に対向して配置されたＬＥＤ発光素子と、を備え、上記本体部は外周面がなめらかな鏡面状に形成されているとともに、長手方向にわたり、その周方向の所定の範囲において、複数の凹部または凸部が形成されていることにより、上記ＬＥＤ発光素子から上記本体部の端部に入射した光が、上記本体部の長手方向にわたって、上記本体部の周面における上記凹部または凸部が形成された範囲と対向する領域から出射する傾向を与えた線状光源装置であって、
上記複数の凹部または凸部は、上記本体部の周面に長手方向に延びるように形成された所定幅の帯状領域に形成されており、上記凹部または凸部は、上記帯状領域の幅方向に延び、かつ上記帯状領域の幅方向について直線状を呈していることを特徴とする、線状光源装置。
【請求項２】
上記帯状領域の幅方向の両側部には、所定幅の平坦部が形成されている、請求項１に記載の線状光源装置。
【請求項３】
上記本体部の周面における上記帯状領域および上記平坦部以外の部分は、円柱または楕円柱外面とされている、請求項２に記載の線状光源装置。
【請求項４】
上記導光部材の成形用のゲートが、上記本体部の周面における上記帯状領域および上記平坦部以外の周方向領域であって、上記帯状領域と対向する領域を除く領域に配置されている、請求項３に記載の線状光源装置。
【請求項５】
上記第１端部と第２端部の双方に対向して上記ＬＥＤ発光素子が配置されており、上記ゲートは、上記本体部の長手方向の略中央部に配置されている、請求項４に記載の線状光源装置。
【発明の詳細な説明】
【技術分野】
【０００１】
本願発明は、線状光源装置に関する。この線状光源装置は、原稿に対して副走査方向に相対移動しつつ、ＣＣＤラインセンサ上に１ラインずつ主走査方向の画像を投影することにより２次元画像を読み取るように構成された画像読取装置の照明光源、あるいは、液晶ディスプレイ装置等の平面ディスプレイ装置のバックライト用照明装置として好適に用いるためのものである。
【背景技術】
【０００２】
たとえば特許文献１には、いわゆるフラットベッド型のイメージスキャナが開示され、このイメージスキャナには、ＣＣＤラインセンサを搭載したイメージセンサユニットＵ（以下、これを単にＣＣＤイメージセンサユニットという。）が用いられている。このようなＣＣＤイメージセンサユニットは一般に、本願の図８に例示するように、照明光源１と、複数のミラー２１〜２５、レンズ３と、ＣＣＤラインセンサ４とをケース５内に組み込んで構成され、フラットベッド型イメージスキャナＳにおいて、透明ガラスなどからなる原稿載置台ＤＰの下方を副走査方向に移動するように設置される。動作において、照明光源１が発する光によって照明された原稿Ｄからの反射光が複数のミラー２１〜２５で反射された後、レンズ３を介してＣＣＤラインセンサ４上に集光させられる。このとき、原稿Ｄ上の主走査方向に延びる１ラインの画像がＣＣＤラインセンサ４上に結像させられ、かつ読み取られるのであり、このような動作がこのＣＣＤイメージセンサユニットＵが副走査方向に所定ピッチ移動する度毎に繰り返されることにより、原稿の２次元画像が読み取られることになる。
【０００３】
上記のようなＣＣＤイメージセンサユニットＵを用いてフラットベッド型イメージスキャＳを構成する場合、原稿ＤからＣＣＤラインセンサ４までの光路長が長く、レンズ３の被写界深度を深く設定することができるため、原稿載置台ＤＰから原稿Ｄが多少浮き上がってもピンぼけを抑制した鮮明な画像を読み取ることができる、等の利点がある。
【０００４】
【特許文献１】特開２０００−１３４４１３号公報
【発明の開示】
【発明が解決しようとする課題】
【０００５】
ところで、上記のＣＣＤイメージセンサユニットＵにおける照明光源１は、白色光を発する冷陰極管が採用されるのが一般である。その理由は、カラー画像を読み取るために、主走査方向の読み取り幅の全長にわたって均等な照度で原稿を照明するための線状光源装置として、現状においてはコスト面を考慮しても最適であると考えられているからである。
【０００６】
しかしながら、ＣＣＤイメージセンサユニットＵにおける線状光源装置として冷陰極管を用いるにあたっては、次のような問題がなお存在する。
【０００７】
第１に、冷陰極管の駆動には、放電電圧を得るためにインバータ等を用いて昇圧する必要があり、電源回路がコスト高となる。
【０００８】
第２に、冷陰極管は、有害な水銀蒸気が内部に封じ込められているため、環境にとって適切であるとはいえない。
【０００９】
第３に、冷陰極管は、全周から発光するが、照明するべき方向は一方向であるため、多くの光が無駄になり、効率が悪い。また、この問題を解消するためには、反射部材を冷陰極管の背後に配置するなどの対策が必要となり、コスト高となる。
【００１０】
また、液晶テレビや、パーソナルコンピュータ用の液晶ディスプレイ装置においても、そのバックライト用照明装置として、冷陰極管が用いられるのが通常であるが、この場合においても、上記したのと同様の問題がある。
【００１１】
本願発明は、上記した事情のもとで考え出されたものであって、ＣＣＤイメージセンサユニット等のＣＣＤラインセンサを搭載した画像読取装置等の照明光源として、あるいは液晶ディスプレイ装置等のバックライト用照明装置の光源として冷陰極管を用いる場合の上記した問題を解消した新たな線状光源装置を提供することをその課題とする。
【課題を解決するための手段】
【００１２】
上記の課題を解決するため、本願発明では、次の技術的手段を採用している。
【００１３】
すなわち、本願発明によって提供される線状光源装置は、樹脂により断面略一様な柱状に成形されるとともに所定長さを有する本体部、および、この本体部の両端に形成された第１の端部と第２の端部、を備えた導光部材と、上記第１の端部と上記第２の端部の少なくともいずれか一方に対向して配置されたＬＥＤ発光素子と、を備え、上記本体部は外周面がなめらかな鏡面状に形成されているとともに、長手方向にわたり、その周方向の所定の範囲において、複数の凹部または凸部が形成されていることにより、上記ＬＥＤ発光素子から上記本体部の端部に入射した光が、上記本体部の長手方向にわたって、上記本体部の周面における上記凹部または凸部が形成された範囲と対向する領域から出射する傾向を与えた線状光源装置であって、上記複数の凹部または凸部は、上記本体部の周面に長手方向に延びるように形成された所定幅の帯状領域に形成されており、上記凹部または凸部は、上記帯状領域の幅方向に延び、かつ上記帯状領域の幅方向について直線状を呈していることを特徴とする。好ましくは、上記帯状領域の幅方向の両側部には、所定幅の平坦部が形成される。
【００１４】
上記構成の線状光源装置においては、導光部材にその端部から入射した光は、なめらかな表面で全反射しつつ導光部材の本体部の長手方向に進行する。そして、このような光は、上記凹部または凸部において反射させられることにより、進行方向が導光部材を横断しようとする方向に変換される。この光は、概して、上記本体部の内部を、その周面における上記凹部または凸部が設けられた周方向範囲の帯状領域と対向する領域に向けて進行し、この領域において、全反射臨界角より小さい角度で周面に到達したものが外部に出射される。そして、上記凹部または凸部が設けられる上記本体部の周方向における範囲を所定のように設定することにより、出射する光を、所望の周方向範囲に規制し、ＬＥＤ発光素子から発せられた光を、効率的に照明光として利用できる。これにより、たとえばこの線状光源装置を、ＣＣＤラインセンサを用いた画像読取装置の照明光源として使用する場合、照明光が原稿における副走査方向に不当に拡がることが抑制される。
【００１５】
また、出射光の方向を規制する上記の凹部または凸部が形成される所定幅の帯状領域において、上記凸部または凹部は帯状領域の幅方向に延び、かつ帯状領域の幅方向について直線状を呈しているので、導光部材の内部を長手方向に進行してきた光が上記凹部または凸部によって導光部材の幅方向に進行方向が変換される際、導光部材の幅方向に拡散されることが抑制され、導光部材の表面からの出射光が導光部材の周方向に拡散することが抑制される。これにより、出射光を、導光部材の周方向の限定した範囲に集中させることができる。
【００１６】
また、凹部または凸部が帯状領域の幅方向に直線状に延びていることから、この凹部または凸部を形成するための金型の作成が容易となる。
【００１７】
さらに、好ましい実施の形態では、上記凸部または凹部が形成された帯状領域は、その幅方向両側に位置する平坦部に挟まれる恰好で形成されているので、導光部材の本体部が円柱形状であったとしても、帯状領域の幅寸法を導光部材の長手方向の各所において一定かつ明確に規定することが容易となる。これにより、本体部の周面からの出射光の導光部材の長手方向のバラツキを抑制することができる。
【００１８】
好ましい実施の形態では、上記本体部の周面における上記帯状領域および上記平坦部以外の部分は、円柱外面または楕円柱外面とされている。
【００１９】
このように構成することにより、導光部材の本体部が凸レンズ効果を発揮し、上記帯状領域の凹部または凸部によって反射させられた光を、より導光部材の周方向における限定した領域に向けて出射させることができる。
【００２０】
好ましい実施の形態ではまた、上記導光部材の成形用のゲートが、上記本体部の周面における上記帯状領域および上記平坦部以外の周方向領域であって、上記帯状領域と対向する領域を除く領域に配置されている。
【００２１】
このように構成することにより、導光部材の本体部における上記帯状領域、および、出射領域がゲートによる異形や曇り等に起因する悪影響を受けることがなくなる。
【００２２】
好ましい実施の形態ではさらに、上記ＬＥＤ発光素子は、上記第１端部と第２端部の双方に対向して配置されており、上記ゲートは、上記本体部の長手方向の略中央部に配置されている。
【００２３】
このように構成することにより、ゲートは、第１の端部および第２の端部の双方から最も遠い位置に形成されることになるので、ゲートによる異形や曇り等に起因する悪影響を最も少なくすることができる。
【００２４】
本願発明のその他の特徴および利点は、図面を参照して以下に行う詳細な説明から、より明らかとなろう。
【発明を実施するための最良の形態】
【００２５】
以下、本願発明の好ましい実施の形態につき、図面を参照して具体的に説明する。
【００２６】
図１ないし図４は、本願発明に係る線状光源装置１００の第１の実施形態を示している。この線状光源装置１００は、導光部材１２０と、この導光部材１２０の両端部に配置されたＬＥＤ発光素子２００とを備えている。
【００２７】
図１に示すように、導光部材１２０は、全長にわたって一様な円形断面を有する略円柱状をした本体部１３０と、この本体部１３０の両端に形成された第１の端部１２１と第２の端部１２２とを有し、たとえば、ＰＭＭＡやポリカーボネートなどの透明樹脂により一体成形されたものである。略円柱状の本体部１３０の直径は、たとえば４ｍｍ程度である。また、この本体部１３０の周面は、なめらかな鏡面状とされている。
【００２８】
図１、図２および図４からよく理解されるように、上記本体部１３０の周面には、所定幅で本体部１３０の長手方向に延びる帯状領域１３４が設定され、この帯状領域１３４には、長手方向に並ぶ複数箇所の凹部１３１と凸部１３２とが交互に連続して形成されている。各凸部１３２の上面１３２ａは、平坦面（すなわち、帯状領域１３４の幅方向について直線状）とされ、各凹部１３１は、一様な断面を有して帯状領域１３４の幅方向に延びるように形成されている。各凹部１３１の底部は、円筒内面状とされている一方、この凹部１３１と上記凸部１３２の上面１３２ａとは、なめらかな円筒外面部によって連結されている。このような帯状領域１３４の幅方向両側には、全長にわたり沿うようにして、平坦部１３５が形成されている。帯状領域１３４の両側に位置する平坦部１３５は、同一平面内に位置し、本体部１３０中心線に対して平行をなすように形成されている。上記したように、本体部１３０の直径はたとえば４ｍｍであるが、帯状領域１３４の幅はたとえば１．６ｍｍ、各平坦部１３５の幅はたとえば０．３５ｍｍ、凸部１３２の平坦部１３５に対する高さは、たとえば０．１９ｍｍ、凸部１３２の上面１３２ａに対する凹部１３１の深さは、たとえば、０．１８ｍｍに設定され、かつ、各凹部１３１の形成ピッチは、たとえば１．５ｍｍに設定される。しかしながら、これらの各寸法は、導光部材１２０の径に応じて種々設定可能である。
【００２９】
上記導光部材１２０の第１の端部１２１および第２の端部１２２には、図１および図２に表れているように、角状のソケット部１４０が一体形成されている。この角状のソケット部１４０の底面が実質的に上記本体部の端面１４１となり、この端面１４１が、ＬＥＤ発光素子２００から上記本体部１３０への光の入射部となる。
【００３０】
上記したように、上記導光部材１２０は、ＰＭＭＡやポリカーボネートなどの樹脂により一体成形される。すなわち、複数の金型によって形成されたキャビティ内にゲートから流動状態の樹脂を注入し、この樹脂を固化させた後、型開きをする。この導光部材１２０においては、図１、図３および図４に示されているように、ゲート１３６の位置を、本体部１３０の長手方向の略中央部であって、本体部１３０の周方向に関しては、上記凹部１３１と凸部１３２とが設けられた帯状領域１３４と、この帯状領域１３４と対向する光出射領域とを避けた、上記帯状領域１３４の幅方向中心位置に対して本体部１３０の周方向にほぼ９０度ずらせた位置に設定している。このことの技術的意義については、後述する。
【００３１】
上記ＬＥＤ発光素子２００としては、基板２１０上に搭載されたパッケージ型の白色ＬＥＤが好適に用いられるが、赤色（Ｒ）、緑色（Ｇ）、青色（Ｂ）のＬＥＤベアチップを基板２１０上に搭載してもよい。基板２１０は、たとえば長矩形状をしており、その長手方向一端部にＬＥＤ発光素子２００が搭載されており、その余の領域は、放熱および配線パターンの配置領域として利用される。この基板２１０の材質としては、熱伝導性にきわめて優れた窒化アルミニウムを採用することが望ましい。また、この実施形態では、基板２１０の放熱性能をさらに高めるために、基板２１０の裏面側に、所定厚みのアルミニウム製、またはアルミニウム合金製の放熱板２２０が積層状に接着されている。
【００３２】
上記導光部材１２０の第１の端部１２１および第２の端部１２２に対する上記基板２１０に搭載されたＬＥＤ発光素子２００の連携は、上記ソケット部１４０内にＬＥＤ発光素子２００を収容するようにして、上記ソケット部１４０と基板２１０との間をたとえば接着によって接続することにより行う。
【００３３】
次に、上記構成の線状光源装置１００の作用について説明する。
【００３４】
導光部材１２０の２つの端部１２１，１２２において、それぞれ、ＬＥＤ発光素子２００が点灯させられると、このＬＥＤ発光素子２００から発せられた光は、導光部材１２０の第１の端部１２１と第２の端部１２２から、本体部１３０の端面１４１に入射させられる（図２参照）。このようにして本体部１３０に入射した光は、図２に模式的に示すように、本体部１３０内を、その滑らかな表面で全反射しつつ長手方向に進行する。図２に模式的に示すように、このような光の一部は、上記の凹部１３１において反射させられて本体部１３０を横断しようとする方向に進行方向を転換させられる。凹部１３１は、帯状領域１３４の幅方向に直線状に延びているので、この凹部１３１で反射させられて本体部１３０を横断して進行する光が不当に拡がることがない。そうして、上記のように進行方向を転換させられた光は、図３に模式的に示すように、概して、本体部１３０における上記凹部１３１と凸部１３２が設けられた帯状領域１３４と対向する領域に向けて進行し、この領域において、全反射臨界角より小さい角度で本体部１３０の周面に到達したものが外部に出射させられる。そうして、上記本体部１３０が略円柱状をしていること、すなわち、上記本体部１３０の周面における上記帯状領域（凹部１３１および凸部１３２が形成されている領域）１３４およびその両側の平坦部１３５を除く部分が円柱外面を有していることによる凸レンズ効果により、出射する光が本体部１３０の周方向に広がることが抑制され、出射光を、目標とする領域Ａに集中させることができる。
【００３５】
本体部１３０に設ける凹部１３１および凸部１３２が形成された帯状領域１３４は、平坦部１３５に挟まれた格好で形成されているため、本体部１３０の基本外形が略円柱状であったとしても、帯状領域１３４の幅を本体部１３０の長手方向にわたって一定幅をもって延びるように明確に規定することができる。したがって、導光部材１２０の内部を長手方向に進行してきた光の方向を変換して帯状領域１３４の反対側の外面から出射させる作用を、本体部１３０の長手方向の各所においてばらつきなく行うことができるようになる。また、本体部１３０に設ける凹部１３１または凸部１３２が帯状領域１３４の幅方向に延びかつ、幅方向について直線状をなすように形成するので、図５に示すような分割構成を採用しつつ、導光部材１２０を成形するための金型５００Ａ，５００Ｂの作成にあたり、上記凹部１３１および凸部１３２を形成するための金型内面形状の作成も容易となる。
【００３６】
さらに、上記構成の導光部材１２０は、成形のためのゲート１３６を、本体部１３０の周方向に関して、上記帯状領域１３４と、この帯状領域１３４と対向する光出射領域とを避けた、上記帯状領域１３４の幅方向中心位置に対して本体部１３０の周方向にほぼ９０度ずらせた位置に設定しているので、ゲート１３６の存在による異形の発生や曇りの発生に起因して、上記凹部１３１や凸部１３２による光の方向変換作用が部分的に阻害されたり、本体部１３０の表面からの光の出射作用が部分的に阻害されたりすることを回避することができる。上記ゲート１３６はまた、本体部１３０の長手方向のほぼ中央部に設定している。すなわち、導光部材１２０にＬＥＤ発光素子２００からの光が入射される第１の端部１２１と第２の端部１２２の双方から最も遠い位置に上記ゲート１３６の位置が設定されているので、ゲート１３６の存在による異形の発生や曇りの発生に起因した悪影響を最も少なくすることができる。
【００３７】
さらに、上記構成の線状光源装置１００にあっては、ＬＥＤ発光素子２００を搭載する基板２１０の材質として、窒化アルミニウムを採用しているとともに、基板２１０にＬＥＤ発光素子２００の搭載領域と放熱領域を設定し、さらには、この基板２１０の裏面側にアルミニウムまたはアルミニウム合金製の放熱板２２０を積層接着しているので、ＬＥＤ発光素子２００の点灯時に発生する熱をきわめて効率よく外部に逃がすことができる。その結果、ＬＥＤ発光素子２００の高出力による長時間連続点灯が可能となり、線状の照明光源として、きわめて効率の高いものとなる。
【００３８】
図６は、本願発明に係る線状光源装置の第２の実施形態を示している。この第２の実施形態に係る線状光源装置１００Ａは、導光部材１２０の一端部（第１の端部）１２１にＬＥＤ発光素子２００を配置し、他端部（第２の端部）１２２には、反射手段２５０を設けた点が図１ないし図４に示した第１の実施形態に係る線状光源装置１００と異なる。以下においては、この第２の実施形態に係る線状光源装置１００Ａについて、第１の実施形態に係る線状光源装置１００と異なる点について説明し、共通する点については、第１の実施形態に係る線状光源装置１００について付した符号と同一の符号を付すことにより、詳細な説明は省略する。
【００３９】
導光部材１２０は、その本体部１３０の第１の端部１２１のみにソケット部１４０が形成されており、第２の端部１２２には、反射手段２５０が形成されている。本体部１３０およびソケット部１４０の形態は、基本的に、第１の実施形態にかかるものと同様である。反射手段２５０は、上記本体部１３０の第２の端部１２２に、白色系の樹脂でできたキャップ２５２を嵌着させたり、金属を蒸着したりすることにより形成することができるほか、図７に変形例として示すように、導光部材１２０の第２の端部１２２を、本体部１３０の軸線に対して４５度の角度で傾斜する２つの面からなる三角山状にカットするか、または、本体部１３０の軸線に対して母線もしくは稜線が４５度程度で傾斜する円錐状あるいは角錐状にカットして構成することができる。このようにすることにより、本体部１３０の内部をその軸線方向に進行してきた光の多くが、第２の端部１２２の傾斜面２５３で２回の全反射をすることにより、逆方向に戻される。そうして、この戻り光もまた、帯状領域１３４における凹部１３１および凸部１３２による光の方向変換作用を経て、出射光として無駄なく利用される。
【００４０】
導光部材１２０の第１の端部１２１には、ソケット部１４０を介して、基板２１０に搭載されたＬＥＤ発光素子２００が対向配置される点、導光部材１２０の本体部１３０には、平坦部１３５で挟まれた格好で帯状領域１３４が形成され、この帯状領域には、凹部１３１および凸部１３２が形成されている点、および、樹脂成形用のゲート１３６の本体部１３０の周方向の位置が、帯状領域１３４に対して周方向にほぼ９０度ずらせた位置に形成されている点は、第１の実施形態と同様である。
【００４１】
上記構成の線状光源装置１００，１００Ａは、ＣＣＤイメージセンサユニット等の画像読取装置４００の照明光源として、従前の冷陰極管に代えて好適に用いることができる。この画像読取装置４００は、図８に示すように、線状光源装置１００（１００Ａ）と、複数のミラー２１〜２５と、レンズ３と、ＣＣＤラインセンサ４とをケース５内に組み込んで構成され、フラットベッド型イメージスキャナＳにおいて、透明ガラスなどからなる原稿載置台ＤＰの下方を副走査方向に移動させられる。動作においては、上記線状光源装置１００（１００Ａ）が発する光によって照明された原稿Ｄからの反射光が複数のミラー２１〜２５で反射された後、レンズ３を介してＣＣＤラインセンサ４上に集光させられる。このとき、原稿Ｄ上の主走査方向に延びる１ラインの画像がＣＣＤラインセンサ４上に結像させられ、かつ読み取られ、このような動作がこの画像読取装置４００が副走査方向に所定ピッチ移動する毎に繰り返されることにより、原稿の２次元画像が読み取られる。
【００４２】
前述したように、上記構成の線状光源装置１００（１００Ａ）は、その発光部分たる導光部材１２０の本体部１３０が略円柱状をしているため、上記画像読取装置４００における冷陰極管が装備されていた部位に、さほど変更を加えることなく、都合よく組み込むことができる。そして、この線状光源装置１００（１００Ａ）は、導光部材１２０の本体部１３０における上記帯状領域１３４と反対側の周面から限定された方向に効率よく光を照射することができるのであり（図３参照）、このような出射方向を、フラットベッド型イメージスキャナＳにおける原稿載置台ＤＰ上の原稿Ｄの副走査方向の一定領域に向けるようにする。このように、上記構成の線状光源装置１００（１００Ａ）は、冷陰極管のように周面全面から光が放射される場合のように、反射部材を追加する必要なく、長手方向の全長において、一定の限定された方向に向けて光を照射することができる。
【００４３】
なお、ＣＣＤイメージセンサユニットの場合、原稿Ｄからレンズ３を介してＣＣＤラインセンサ４に至る、ミラー２１〜２５で折り畳まれる光路を展開して模式的に描くと図９に示すようになる。この図から判るように、ＣＣＤラインセンサ４ないしレンズ３からみた原稿Ｄの読取幅の画角は、たとえば５０°程度となるように広がっている。このことは、原稿の読取幅の中央付近からＣＣＤラインセンサ４までの光路長に対し、読取幅の端部からＣＣＤラインセンサ４までの光路長が明らかに長くなることから、原稿Ｄを読取幅全体にわたって均等な明るさで照明したとしても、ＣＣＤラインセンサ４上で読み取られる画像は、上記読取幅の端部ほど暗くなることを意味する。
【００４４】
このような場合、上記構成の線状光源装置１００（１００Ａ）においては、上記凹部１３１の形成ピッチを導光部材１２０の長手方向中央部に対して端部にむかうほど短くする、すなわち、端部に向かうほど密とすることにより、容易に、導光部材１２０の長手方向（主走査方向に対応）中央部に対して両端部のほうが出射光量が大となるようにすることができる。これにより、ＣＣＤラインセンサ４上で読み取られる画像の明るさを、主走査方向について均等化することができる。
【００４５】
従来、この種の平面ディスプレイ装置のバックライト光源としても、冷陰極管が採用されていたが、この冷陰極管を上記構成の線状光源装置に置き換えることも可能である。
【００４６】
もちろん、この発明の範囲は上述した実施形態に限定されるものではなく、各請求項に記載した範囲でのあらゆる変更は、すべて本願発明の範囲に含まれる。
【００４７】
たとえば、上記した実施形態では、導光部材１２０の本体部１３０は、略円柱状としているが、柱状であれば、このような円柱状に限らないが、帯状領域１３４およびこれを挟む平坦部１３５以外の周面には、できるだけ明確な稜線が形成されないようにすることが望ましく、たとえば、略楕円柱状としてもよい。
【図面の簡単な説明】
【００４８】
【図１】本願発明に係る線状光源装置の第１の実施形態の全体構成を示す一部断面正面図である。
【図２】図１のII-II線に沿う拡大断面図である。
【図３】図２のIII-III線に沿う断面図である。
【図４】導光部材の部分拡大斜視図である。
【図５】導光部材を形成するための金型の一例を示す断面図である。
【図６】本願発明に係る線状光源装置の第２の実施形態の全体構成を示す一部断面正面図である。
【図７】第２の実施形態の変形例を一部断面で示す部分正面図である。
【図８】図１または図６に示す線状光源装置を用いた画像読取装置の全体構成略示図である。
【図９】図８に示す画像読取装置における、原稿からＣＣＤラインセンサまでの光路を示す略示図である。
【符号の説明】
【００４９】
１        照明光源
２１〜２５    ミラー
３        レンズ
４        ＣＣＤラインセンサ
５        ケース
Ｓ        イメージスキャナ
ＤＰ      原稿載置台
Ｄ        原稿
１００，１００Ａ    線状光源装置
１２０    導光部材
１２１    第１の端部
１２２    第２の端部
１３０    本体部
１３１    凹部
１３２    凸部
１３４    帯状領域
１３５    平坦部
１３６    ゲート
１４０    ソケット部
１４１    端面（本体部の）
２００    ＬＥＤ発光素子
２１０    基板
２２０    放熱板
２５０    反射手段
２５２    キャップ
２５３    傾斜面
４００    画像読取装置
５００Ａ，５００Ｂ  金型
Ａ        目標領域
【図１】
2008209633.tif 000003
【図２】
2008209633.tif 000004
【図３】
2008209633.tif 000005
【図４】
2008209633.tif 000006
【図５】
2008209633.tif 000007
【図６】
2008209633.tif 000008
【図７】
2008209633.tif 000009
【図８】
2008209633.tif 000010
【図９】
2008209633.tif 000011